(57)【要約】【課題】画像形成装置内の環境データをより機内の状況に適応した形で取得し、その情報をもって画像形成パラメータの設定を行うことで、安定した高品質の画像が得られる画像形成装置を提供する。【解決手段】装置本体の電源ＯＮ時あるいは、電源ＯＮ同等時に、定着温度が所定温度以下の場合には、ファン５０の動作を禁止し、その状態で環境センサ３０によって環境情報を取得させ、定着温度が所定温度以上の場合には、ファン５０を一定時間動作させた後、環境センサ３０によって環境情報を取得させ、取得された環境情報に基づいて現像コントラスト電位または転写バイアスを制御する。【選択図】  図１
2004233546.tif 000002
【特許請求の範囲】
【請求項１】
装置本体内の環境情報を取得する環境情報取得手段と、
装置本体内に設けられた熱発生源の近傍に設けられて、該熱発生源の温度を検出する熱発生源温度検出手段と、
装置本体内雰囲気の排気と装置本体内への外気吸引とのうち少なくともいずれかを行う送風手段と、
記録媒体に画像を形成する画像形成手段と、
を備えた画像形成装置において、
装置本体の電源ＯＮ時あるいは、電源ＯＮ同等時に、
前記熱発生源温度検出手段によって検出された前記熱発生源の温度が予め定められている所定温度以下の場合には、前記送風手段の動作を禁止し、その状態で前記環境情報取得手段により環境情報を取得させ、
前記熱発生源温度検出手段によって検出された前記熱発生源の温度が予め定められている所定温度以上の場合には、前記送風手段を一定時間動作させた後、前記環境情報取得手段により環境情報を取得させ、
取得された前記環境情報に基づいて画像形成パラメータを制御する制御手段を備えることを特徴とする画像形成装置。
【発明の詳細な説明】
【０００１】
【発明の属する技術分野】
本発明は、シート等の記録媒体上に画像を形成する機能を備えた、例えば、複写機、プリンタ、あるいは、ファクシミリ装置などの画像形成装置に関するものである。
【０００２】
【従来の技術】
従来のこの種の画像形成装置として、たとえば、電子写真方式を用いてシートに画像を形成する画像形成手段を備えた画像形成装置の概略構成図を図４に示す。
【０００３】
この画像形成手段は任意のものを採用し得るが、本実施の形態では、回転自在に設けられた像担持体としての感光体ドラム１０５と、感光体ドラム１０５表面を帯電する１次帯電器１０１と、画像パターンに相当する光像、またはこれに相当する光像を感光体ドラム１０５上に照射して、画像の静電潜像を感光体ドラム１０５上に形成するレーザビーム露光装置などの露光手段１１７と、感光体ドラム１０５上の静電潜像を現像してトナー像として可視化する現像装置１０２とを備えている。
【０００４】
そして、図１に示すように、感光体ドラム１０５は矢印方向に回転可能に設けられ、１次帯電器１０１と露光手段１１７と現像装置１０２とは、感光体ドラム１０５の外周部に配置される。
【０００５】
現像装置１０２は、現像器に収納された現像剤を感光体ドラム１０５の外周面と対向した現像位置へと搬送して、現像剤で感光体ドラム１０５上の静電潜像を現像してトナー像として可視化するように構成されている。感光体ドラム１０５上に形成されたトナー像は、転写装置１０７によりこれに担持した転写材Ｐ上に転写される。
【０００６】
上記構成の電子写真複写装置による画像形成工程を簡単に説明すると、以下のようである。
【０００７】
まず、１次帯電器１０１によって感光体ドラムを均一に帯電する。本従来例で示す１次帯電器１０１は、帯電ローラを用いた接触帯電方式である。
【０００８】
均一に帯電された感光体ドラム１０５上に露光手段１１７を作動させることによって、静電潜像が形成され、この静電潜像は現像装置１０２の現像剤で現像される。
【０００９】
一方、転写装置１０７へと給紙された転写材Ｐはトナー像と当接される。このトナー像は転写帯電器の作動により転写材Ｐ上に転写される。ついで熱定着ローラ１０６で転写材Ｐ上のトナーを定着した後、画像形成装置の機外に排出される。
【００１０】
一方、感光体ドラム１０５上に残留したトナーはクリーナ１０４により除去されて、再び画像形成プロセスにはいる。
【００１１】
ところで電子写真方式の現像は、感光体ドラム１０５の表面電位と現像剤を担持する現像スリーブ（現像剤担持体）１０３に印加される現像バイアスＤＣとの電位差（現像コントラスト電位）で現像される。
【００１２】
現像剤はトナーだけの１成分現像方式とトナーとキャリアを混合して使用する２成分現像方式などがある。トナーはスリーブやキャリアと摺擦によって摩擦帯電することで電荷をもち、現像コントラスト電位に応じた量の電荷に相当したトナーが現像される。
【００１３】
このように摩擦帯電によって電荷を生じさせているため、トナーの電荷量は環境状態、主に絶対水分量に依存してその電荷量が変化する。また、現像剤に限らず静電気を利用していることから、環境状態によって変化する特性を有するものがある。例えば、転写材である紙や帯電ローラなどの帯電部材などである。
【００１４】
上記のような問題に対応するために、電子写真方式の画像形成装置には温度、湿度などを検知する環境センサが搭載されている。
【００１５】
環境センサは画像形成装置内部に配置されている。センサ構成は温度検知素子と湿度検知素子からなり、それぞれの素子から出力されるアナログ信号をＡ／Ｄ変換し温度データ、湿度データとしてＣＰＵで処理される。
【００１６】
絶対水分量は理科年表等に記載されている飽和水分量に応じた変換テーブルを用意し、温度データ、湿度データを入力することによって絶対水分量を算出することができるようになっている。算出された絶対水分量に応じて各プロセスパラメータがセットされる。本従来例で示す画像形成装置では、現像コントラストに関連する１次帯電バイアス値と現像バイアス値にフィードバックするようになっている。
【００１７】
【発明が解決しようとする課題】
しかしながら、上記のような従来技術の場合には、下記のような問題が生じていた。
【００１８】
機内の環境は、外部環境の変化によってももちろんであるが、例えば定着器などの昇温によっても変化する。定着器などの昇温は他の部品にとっても必ずしも良いとはいえない。そのためにファンなどの送風装置で機内雰囲気の排気を行ったり、外気を吸引して冷却したりすることがある。
【００１９】
当然そのために、ファンが動作しているときは、エンジン内の環境状態は機外に近く、ファンが長期間停止していたような状態、例えばメイン電源が切られて長時間放置されたような場合には、図５に示すように、外部の環境変化に機内の環境状態は必ずしも追従しない。
【００２０】
また、図６に示すように、電源をきられた直後はファンが停止することから、機内の温度は定常時より大きく昇温する。
【００２１】
従来はどのような場合にも電源投入時に環境データを取得して、例えば現像コントラスト電位などを決めていたことから、上記のような様々な機内環境状況の変化に対応できずに、現像濃度が不適切になったりして、濃度変動などを大きくしていた。
【００２２】
本発明は上記の従来技術の課題を解決するためになされたもので、その目的とするところは、画像形成装置内の環境データをより機内の状況に適応した形で取得し、その情報をもって画像形成パラメータの設定を行うことで、安定した高品質の画像が得られる画像形成装置を提供することにある。
【００２３】
【課題を解決するための手段】
上記目的を達成するために本発明にあっては、
装置本体内の環境情報を取得する環境情報取得手段と、
装置本体内に設けられた熱発生源の近傍に設けられて、該熱発生源の温度を検出する熱発生源温度検出手段と、
装置本体内雰囲気の排気と装置本体内への外気吸引とのうち少なくともいずれかを行う送風手段と、
記録媒体に画像を形成する画像形成手段と、
を備えた画像形成装置において、
装置本体の電源ＯＮ時あるいは、電源ＯＮ同等時に、
前記熱発生源温度検出手段によって検出された前記熱発生源の温度が予め定められている所定温度以下の場合には、前記送風手段の動作を禁止し、その状態で前記環境情報取得手段により環境情報を取得させ、
前記熱発生源温度検出手段によって検出された前記熱発生源の温度が予め定められている所定温度以上の場合には、前記送風手段を一定時間動作させた後、前記環境情報取得手段により環境情報を取得させ、
取得された前記環境情報に基づいて画像形成パラメータを制御する制御手段を備えることを特徴とする。
【００２４】
前記環境情報取得手段は、温度を検出する温度検出手段と、湿度を検出する湿度検出手段とを備え、該温度検出手段により検出した温度、及び該湿度検出手段により検出した湿度に基づき絶対水分量を算出することも好適である。
【００２５】
前記熱発生源温度検出手段により温度が検出される前記熱発生源とは、現像剤を熱によって記録媒体に定着させる定着手段であることも好適である。
【００２６】
前記熱発生源温度検出手段により温度が検出される前記熱発生源とは、装置本体内の温度を一定範囲に保つための環境ヒータであることも好適である。
【００２７】
前記制御手段は、前記環境情報取得手段による環境情報の取得を一定時間間隔毎に行うことも好適である。
【００２８】
前記電源ＯＮ同等時とは、紙づまり、あるいはエラー発生時の定常状態ではない場合からの復帰動作が行なわれた場合であることも好適である。
【００２９】
前記画像形成手段は、露光手段により像担持体上に形成された静電潜像を現像手段により現像して得られたトナー像を記録媒体に転写するものであって、
前記画像形成パラメータとは、前記露光手段により露光される前記像担持体の表面電位と前記現像手段に印加される現像バイアスとの電位差である現像コントラスト電位であることも好適である。
【００３０】
前記画像形成手段は、像担持体上に形成された静電潜像を現像して得られたトナー像を転写手段により記録媒体に転写するものであって、
前記画像形成パラメータとは、前記転写手段に印加される転写バイアスであることも好適である。
【００３１】
【発明の実施の形態】
以下に図面を参照して、この発明の好適な実施の形態を例示的に詳しく説明する。ただし、この実施の形態に記載されている構成部品の寸法、材質、形状それらの相対配置などは、発明が適用される装置の構成や各種条件により適宜変更されるべきものであり、この発明の範囲を以下の実施の形態に限定する趣旨のものではない。
【００３２】
（実施の形態１）
図１は本発明の実施の形態１に係る画像形成装置を示す概略構成図である。
【００３３】
本実施の形態では、電子写真方式を用いてシートに画像を形成する画像形成手段を備えた画像形成装置について説明する。
【００３４】
この画像形成手段は任意のものを採用し得るが、本実施の形態では、回転自在に設けられた像担持体としての感光体ドラム５と、感光体ドラム５表面を帯電する１次帯電器１と、画像パターンに相当する光像、またはこれに相当する光像を感光体ドラム５上に照射して、画像の静電潜像を感光体ドラム５上に形成するレーザビーム露光装置などの露光手段１７と、感光体ドラム５上の静電潜像を現像してトナー像として可視化する現像手段としての現像装置２とを備えている。
【００３５】
そして、図２に示すように、感光体ドラム５は矢印方向に回転可能に設けられ、１次帯電器１と露光手段１７と現像装置２とは、感光体ドラム５の外周部に配置される。
【００３６】
現像装置２は、現像容器に収納された現像剤を現像剤担持体としての現像スリーブ３によって感光体ドラム５の外周面と対向した現像位置へと搬送させて、現像剤で感光体ドラム５上の静電潜像を現像してトナー像として可視化するように構成されている。感光体ドラム５上に形成されたトナー像は、転写装置７によりこれに担持した転写材Ｐ上に転写される。
【００３７】
上記構成の電子写真方式の画像形成装置による画像形成動作（工程）を簡単に説明すると、以下のようである。
【００３８】
まず、１次帯電器１によって感光体ドラムを均一に帯電する。本実施の形態で示す１次帯電器１は、帯電ローラを用いた接触帯電方式である。
【００３９】
均一に帯電された感光体ドラム５上に露光手段１７を作動させることによって、静電潜像が形成され、この静電潜像は現像装置２の現像剤で現像される。
【００４０】
一方、転写装置７へと給紙された転写材Ｐはトナー像と当接される。このトナー像は転写装置７の作動により転写材Ｐ上に転写される。ついで、熱発生源として定着手段としての定着器６で転写材Ｐ上のトナーを定着した後、画像形成装置の機外に排出される。
【００４１】
一方、感光体ドラム５上に残留したトナーはクリーナ４により除去されて、再び画像形成プロセスにはいる。
【００４２】
ところで電子写真方式の現像は、感光体ドラム５の表面電位と現像剤を担持する現像スリーブ３に印加される現像バイアスＤＣとの電位差（現像コントラスト電位）で現像される。
【００４３】
現像剤はトナーだけの１成分現像方式と、トナーとキャリアを混合して使用する２成分現像方式などがある。トナーはスリーブやキャリアと摺擦によって摩擦帯電することで電荷をもち、現像コントラスト電位に応じた量の電荷に相当したトナーが現像される。
【００４４】
このように摩擦帯電によって電荷を生じさせているため、トナーの電荷量は環境状態、主に絶対水分量に依存してその電荷量が変化する。また、現像剤に限らず静電気を利用していることから、環境状態によって変化する特性を有するものがある。例えば、転写材である紙や帯電ローラなどの帯電部材などである。
【００４５】
上記のような問題に対応するために、電子写真方式の画像形成装置には温度、湿度などを検知する環境情報取得手段としての環境センサ３０が搭載されている。
【００４６】
本実施の形態においては、環境センサ３０は現像装置２の近傍に配置されている。環境センサ３０は、温度を検出する温度検出手段としてのサーミスタと、湿度を検出する湿度検出手段としての湿度検知ユニットからなっている。
【００４７】
サーミスタから出力されるアナログ信号はＡ／Ｄ変換器でＡ／Ｄ変換されサーミスタの特性に応じた変換テーブルで制御手段としてのＣＰＵにより温度データに変換される。
【００４８】
一方、湿度検知ユニットも出力されるアナログ信号をＡ／Ｄ変換する。湿度検知ユニットの特性は、温度によって変化するため、温度データに応じた変換テーブルがあり、サーミスタで検知された温度に応じて変換テーブルを切り換えＣＰＵにより湿度データに変換される。さらに温度データ、湿度データより絶対水分量を変換テーブルにより算出する。
【００４９】
算出された絶対水分量に応じて画像形成パラメータがセットされる。本実施の形態で示す画像形成装置では、現像コントラスト電位に関連する１次帯電バイアス値と現像バイアス値にフィードバックするようになっている。
【００５０】
現像コントラスト電位の設定値は図２のように絶対水分量に応じてその最適値が異なる。
【００５１】
図２は、絶対水分量に対する電位の設定値を示すものであり、図２中のＶｐｒは１次帯電ＤＣバイアス電位、Ｖｄは感光体ドラムの暗部電位、Ｖｌはレーザによって光減衰した表面電位である明部電位、Ｖｄｃは現像スリーブに印加される現像バイアス電位のＤＣ成分である。
【００５２】
また、｜Ｖｌ−Ｖｄｃ｜＝現像コントラスト電位である。そして、｜Ｖｄ−Ｖｄｃ｜＝かぶり取り電圧であり不要なトナーを感光体ドラムに付着させないように設定されている。かぶり取り電圧は、環境条件によらず一定の電位差が得られるように設定してある。
【００５３】
現像スリーブ上には２成分現像方式の現像剤がコートされており、トナーはマイナスの電荷を帯びている。トナーは現像スリーブ上にＤＣとともに印加されたＡＣバイアスで飛翔し、Ｖｌ部に現像する。
【００５４】
一般にトナーの電荷量は、摩擦帯電によっていることから、絶対水分量が低いほど高い。トナーの電荷量が大きいほどトナーを飛翔させるための電界が必要であり、従って必要なトナー量を感光体ドラムに現像するための必要現像コントラスト電位は、絶対水分量が低いほど、高くなっている。
【００５５】
また、本実施の形態に係る画像形成装置の定着器６は、２本のローラからなり、それぞれ１本のハロゲンヒータによって加熱されている。定着器６の温度はローラの表面に配置された熱発生源温度検出手段としてのサーミスタによって検知された温度によって１８０℃になるように、ヒータのＯＮ／ＯＦＦを制御している。
【００５６】
定着器６上部には送風手段としての（排気）ファン５０が配置され定着器６によって昇温した機内の雰囲気を排気している。排気に伴い、外装等に設けてあるルーバーから外気が機内に導入される。
【００５７】
機内の雰囲気は、定着温度によって、温度が徐々に上昇する。環境センサ３０で検知される温度は電源をいれてから、約２時間後にほぼ飽和し室温にたいして約５℃高くなっている。
【００５８】
徐々に変化する機内環境に応じて現像特性はほぼ追従しているので、環境センサ３０から得られる温度、湿度情報によって制御することによって適正な現像コントラスト電位を設定できる。
【００５９】
ところで、この状態で電源を切ると定着ヒータはＯＦＦされるが、同時に排気ファンもＯＦＦする。このような状態では機内の温度は定着器、及びその周辺の蓄熱によって急激に上昇する。本実施の形態に係る画像形成装置では、電源を切って３分後に機外温度に対して機内温度約１５℃上昇していた。
【００６０】
このような状態で電源を再度入れた場合、現像特性にマッチしない環境状態を環境センサは検知することになる。そのために適正な現像コントラスト電位を設定することができず、濃度が適正な値に設定できない。
【００６１】
また、紙詰まり時や様々なエラーが発生したときのリカバリー（復旧）処理が行なわれた場合等の、定常状態ではない場合からの復帰動作時（電源投入同等処理時）も同様である。
【００６２】
一方、長時間電源を切られているような場合、当然機内の環境は、機外の環境に比べて緩やかに変化する。
【００６３】
例えば、夏の時期に、夜間空調がきれて、高温高湿であったのが、朝、空調によって、常温常湿になるような場合、機内はほとんど高温高湿状態である。また、冬の時期では夜間低温低湿状態であるのに対し、朝、空調や加湿器によって常温常湿になる場合においては、機内は低温低湿状態である。
【００６４】
上記のように長時間放置されているような場合、電源投入時にファンを動作さると、機外の雰囲気が急激に機内に流入する。その状態で環境を検知すると機内状態にマッチしない環境状況を検知してしまうことから、適正な現像コントラスト電位を設定することができず、濃度が適正な値に設定できない。
【００６５】
このような場合には、電源ＯＦＦ時にも完全にすべてＯＦＦせずにＣＰＵや環境センサ駆動電源等動作するように設定しておけば、上記のような課題はなくなるが、電源ＯＦＦ時の電力の問題や、電源コンセントを抜かれてしまう場合などに対応が取れず、好ましい方法ではない。
【００６６】
そのために本実施の形態では次のような方法で上記問題を解決した。
【００６７】
すなわち、電源投入時、あるいは電源投入時同等の処理時に定着温度を確認することで画像形成装置の放置状態を検知しそれに応じて環境センサの動作、及びファン動作を制御する。
【００６８】
電源投入時、はじめに定着温度を検知する。その場合定着温度が所定値以下だった場合（本実施の形態では５０℃以下と設定）、長時間放置されたと判断する。その場合には、ファン動作を禁止し、はじめに環境センサ３０によって環境情報を取得する。環境情報取得終了後、ファン動作を開始する。
【００６９】
次の環境情報の取得は環境センサ３０ではじめに環境情報を取得してから、一定時間後（本実施の形態では３０分後）に次の環境情報を取得する。このようにすることで、長時間放置での外部環境との差を少なくすることができ、３０分など、一定時間後に次の環境情報を取得することで、外部環境に機械環境が適応してきた時点での環境情報を得ることができる。
【００７０】
一方、定着温度が所定値以上だった場合（本実施の形態では５０℃以上と設定）、短時間の放置であり、機内が過昇温している可能性があると判断する。その場合には、電源が切られる前の状態を作るために、電源ＯＮ後、ファン動作を開始し、ファン動作開始後一定時間後（本実施の形態では３分後）に、環境情報を取得するようにした。そのようにすることで、電源ＯＦＦ直後の過昇温を検知することなく、適正な現像コントラスト電位を設定することが可能となる。
【００７１】
上記のように、電源投入時、あるいは電源投入時同等の処理時に定着温度を確認し、それに基づいて環境情報の取得タイミングとファンの制御を行うことで、環境情報のミスマッチを低減し適正な現像コントラスト電位を設定することが可能となる。
【００７２】
また本実施の形態では、熱発生源として、定着器のヒータについて述べたが、環境安定性等のために機内に設けられる、感光体ドラムヒータや雰囲気ヒータ（例えば機内の温度を一定範囲に保つ環境ヒータ）などのヒータについても過熱原であるヒータ温度を検知して制御することで同様の効果を得ることができる。
【００７３】
（実施の形態２）
本実施の形態では、算出された絶対水分量に応じて転写バイアスにフィードバックした場合について示すものである。なお、実施の形態１と同様の構成部分については同一の符号を付して、その説明は省略する。
【００７４】
図３は絶対水分量と適正転写バイアスについて示したものである。転写バイアス値は感光体ドラム５上のトナーを転写材である紙等に転写させるために転写装置（転写ローラ）７に印加されるバイアスである。
【００７５】
感光体ドラム５上のトナーを転写するためには、該トナーの電荷に相当する逆極性の電流を流す必要があり、それに合せたバイアスを印加する必要がある。
【００７６】
絶対水分量が低い場合には、転写材や転写ローラの電気抵抗値が上昇し同じ印加バイアスでも電流が流れにくい。そのために必要電流を得るための適正なバイアス値は、絶対水分量が低いほど高くなる。
【００７７】
上記のような転写装置７や、転写材Ｐの抵抗値変化も急激な環境変動に追従しない。
【００７８】
本実施の形態においても、電源投入時、あるいは電源投入時同等の処理時に定着温度を確認し、それに基づいて環境情報の取得タイミングとファンの制御を行うことで、環境情報のミスマッチを低減し適正な転写バイアス値を設定することが可能となる。
【００７９】
また本実施の形態では、定着器のヒータについて述べたが、環境安定性等のために機内に設けられる、感光体ドラムヒータや雰囲気ヒータなどのヒータについても過熱原であるヒータ温度を検知して制御することで同様の効果を得ることができる。
【００８０】
以下に、本発明の実施態様を示す。
【００８１】
（実施態様１）
装置本体内の環境情報を取得する環境情報取得手段（環境センサ３０）と、
装置本体内に設けられた熱発生源（定着手段としての定着器６）の近傍に設けられて、該熱発生源の温度を検出する熱発生源温度検出手段（定着器６のサーミスタ）と、
装置本体内雰囲気の排気と装置本体内への外気吸引とのうち少なくともいずれかを行う送風手段（（排気）ファン５０）と、
記録媒体に画像を形成する画像形成手段と、
を備えた画像形成装置において、
装置本体の電源ＯＮ時あるいは、電源ＯＮ同等時に、
前記熱発生源温度検出手段によって検出された前記熱発生源の温度が予め定められている所定温度以下の場合には、前記送風手段の動作を禁止し、その状態で前記環境情報取得手段により環境情報を取得させ、
前記熱発生源温度検出手段によって検出された前記熱発生源の温度が予め定められている所定温度以上の場合には、前記送風手段を一定時間動作させた後、前記環境情報取得手段により環境情報を取得させ、
取得された前記環境情報に基づいて画像形成パラメータを制御する制御手段を備えることを特徴とする画像形成装置。
【００８２】
（実施態様２）
前記環境情報取得手段は、温度を検出する温度検出手段（環境センサ３０を構成するサーミスタ）と、湿度を検出する湿度検出手段（環境センサ３０を構成する湿度検知ユニット）とを備え、該温度検出手段により検出した温度、及び該湿度検出手段により検出した湿度に基づき絶対水分量を算出することを特徴とする実施態様１に記載の画像形成装置。
【００８３】
（実施態様３）
前記熱発生源温度検出手段により温度が検出される前記熱発生源とは、現像剤を熱によって記録媒体に定着させる定着手段であることを特徴とする実施態様１または２に記載の画像形成装置。
【００８４】
（実施態様４）
前記熱発生源温度検出手段により温度が検出される前記熱発生源とは、装置本体内の温度を一定範囲に保つための環境ヒータであることを特徴とする実施態様１または２に記載の画像形成装置。
【００８５】
（実施態様５）
前記制御手段は、前記環境情報取得手段による環境情報の取得を一定時間間隔毎に行うことを特徴とする実施態様１に記載の画像形成装置。
【００８６】
（実施態様６）
前記電源ＯＮ同等時とは、紙づまり、あるいはエラー発生時の定常状態ではない場合からの復帰動作が行なわれた場合であることを特徴とする実施態様１に記載の画像形成装置。
【００８７】
（実施態様７）
前記画像形成手段は、露光手段により像担持体上に形成された静電潜像を現像手段により現像して得られたトナー像を記録媒体に転写するものであって、
前記画像形成パラメータとは、前記露光手段により露光される前記像担持体の表面電位と前記現像手段に印加される現像バイアスとの電位差である現像コントラスト電位であることを特徴とする実施態様１乃至６のいずれか１項に記載の画像形成装置。
【００８８】
（実施態様８）
前記画像形成手段は、像担持体上に形成された静電潜像を現像して得られたトナー像を転写手段により記録媒体に転写するものであって、
前記画像形成パラメータとは、前記転写手段に印加される転写バイアスであることを特徴とする実施態様１乃至６のいずれか１項に記載の画像形成装置。
【００８９】
【発明の効果】
以上説明したように、本発明によれば、環境情報の誤検知を低減し適正な画像形成パラメータを設定することが可能となり、高品質な画像が得られる画像形成装置を提供することが可能となる。
【図面の簡単な説明】
【図１】本発明の実施の形態に係る画像形成装置の概略構成図である。
【図２】絶対水分量と現像コントラスト電位の関係を模式的に示した図である。
【図３】絶対水分量と転写バイアスの関係を模式的に示した図である。
【図４】従来技術に係る画像形成装置の概略構成図である。
【図５】機外環境と機内環境の変化を模式的に示した図である。
【図６】電源ＯＦＦ後の機内温度の変化を模式的に示した図である。
【符号の説明】
１  １次帯電器
２  現像装置
３  現像スリーブ
４  クリーナ
５  感光体ドラム
６  定着器
７  転写装置
１７  露光手段
３０  環境センサ
５０  ファン
【図１】
2004233546.tif 000003
【図２】
2004233546.tif 000004
【図３】
2004233546.tif 000005
【図４】
2004233546.tif 000006
【図５】
2004233546.tif 000007
【図６】
2004233546.tif 000008